(57)【要約】      （修正有）【課題】２つの吐出部のうち一方の吐出部から流体を効率良く吐出させることのできるポンプを簡単且つ低コストな構成で実現する。【解決手段】軸線Ｌを中心に正転方向及び反転方向に回転可能に構成されたインペラ３１と、内部に該インペラ３１を収納するためのポンプ室Ｓ１が形成されていて、該ポンプ室Ｓ１内に流体を導入する吸込部３６と、上記インペラ３１の回転方向に応じて該ポンプ室Ｓ１内の流体をいずれか一方から吐出可能なように、該インペラ３１の外周の接線方向に延びる２つの吐出部３７，３８と、を有するポンプ側ケーシング３５と、を備えた構成とする。上記ポンプ室Ｓ１内には、上記インペラ３１の径方向外方に、上記２つの吐出部３７，３８に両端で繋がる流路Ｒが形成されていて、この流路Ｒは、上記２つの吐出部３７，３８の一方に向かうにつれて流路断面積が大きくなるように形成されている。【選択図】図５
2011208512.tif 000002
【特許請求の範囲】
【請求項１】
回転軸を中心に正転方向及び反転方向に回転可能に構成された羽根車と、
内部に上記羽根車を収納するためのポンプ室が形成されていて、該ポンプ室内に流体を導入する吸込部と、上記羽根車の回転方向に応じて該ポンプ室内の流体をいずれか一方から吐出可能なように、該羽根車の外周の接線方向に延びる２つの吐出部と、を有するケーシングと、を備え、
上記ポンプ室内には、上記羽根車の径方向外方に、上記２つの吐出部に両端で繋がる流路が形成されていて、
上記流路は、上記２つの吐出部の一方に向かうにつれて流路断面積が大きくなるように形成されているポンプ。
【請求項２】
請求項１に記載のポンプにおいて、
上記流路は、上記羽根車の回転軸方向から視て上記羽根車の外周に沿った略円弧状に形成されていて、
上記ポンプ室内には、上記羽根車の径方向外方における上記流路以外の少なくとも一部に、該羽根車との間で流体の流れが抑制される微小隙間を形成するように上記ケーシングの内面から該羽根車に向かって膨出する膨出部が設けられているポンプ。
【請求項３】
請求項２に記載のポンプにおいて、
上記膨出部は、上記羽根車の回転方向の両端部が上記２つの吐出部のポンプ室に対する開口部分の側壁を構成していて、
上記膨出部には、上記２つの吐出部の開口部分を構成する両端部に、それぞれ、上記ポンプ室の内方に向かって突出する舌部が形成されていて、
上記舌部は、上記羽根車の回転軸方向から視て、突出端部の角度が互いに同等になるように形成されているポンプ。
【請求項４】
請求項１から３のいずれか一つに記載のポンプにおいて、
上記２つの吐出部のうち他方の吐出部には、該吐出部に繋がる吐出配管よりも流路断面積が小さい絞り部が形成されているポンプ。
【請求項５】
請求項１から４のいずれか一つに記載のポンプにおいて、
上記一方の吐出部が他方の吐出部よりも上方に位置するように配置されるポンプ。
【請求項６】
請求項１から５のいずれか一つに記載のポンプにおいて、
上記羽根車は、平板部と、該平板部上に上記回転軸を中心として略放射状に設けられた複数の羽根と、を有し、
上記平板部には、その表面に上記羽根車の回転方向に流体を搬送するための窪み部が形成されているポンプ。
【請求項７】
請求項１から６のいずれか一つに記載のポンプにおいて、
洗浄水によって食器を洗浄する食器洗浄装置内に組み込まれて、洗浄運転時に上記一方の吐出部から上記流体としての洗浄水を吐出するとともに、排水時に上記他方の吐出部から該洗浄水を排水するように構成されているポンプ。
【発明の詳細な説明】
【技術分野】
【０００１】
本発明は、２つの吐出部を有し、該２つの吐出部からの流体の吐出を切り換え可能に構成されたポンプに関する。
【背景技術】
【０００２】
従来より、インペラが収納されたケーシングに流体の吸込部と２つの吐出部とが設けられ、該２つの吐出部からの流体の吐出を切り換え可能に構成された、いわゆるリバーシブルポンプが知られている。例えば特開２００６−１７７３２９号公報の段落［００３８］、［００４０］等に開示されているリバーシブルポンプは、ケーシング内に収納されたインペラの回転方向を切り換えることで、ポンプ内から流体を吐出させる吐出部を切り換えている。
【０００３】
また、別の構成を有するリバーシブルポンプとして、例えば特開２００６−２２００３４号公報の段落［００２６］等に開示されるように、インペラの回転方向を変えるだけでなく、一方の吐出部の開口に切替弁を設けて該切替弁によって吐出部の開口を開閉させることにより、流路を切り換えるものも知られている。
【特許文献１】特開２００６−１７７３２９号公報
【特許文献２】特開２００６−２２００３４号公報
【発明の概要】
【発明が解決しようとする課題】
【０００４】
ところで、上記前者の従来例のように、インペラの回転方向を切り換えるだけでは、流体の吐出方向を確実に切り換えるのは難しく、特に一方の吐出部から効率良く多量の流体を吐出させたい場合には、あまり効率の良い構成とは言えない。
【０００５】
また、上記後者の従来例のように、流路を切り換えるための切替弁を設ければ、強制的に流路が切り換わる反面、該切替弁を設ける分、構成が複雑になるとともに、コストが増大するという問題が生じる。
【０００６】
本発明の目的は、２つの吐出部のうち一方の吐出部から流体を効率良く吐出させることのできるポンプを簡単且つ低コストな構成で実現することにある。
【課題を解決するための手段】
【０００７】
第１の発明に係るポンプは、回転軸を中心に正転方向及び反転方向に回転可能に構成された羽根車と、内部に上記羽根車を収納するためのポンプ室が形成されていて、該ポンプ室内に流体を導入する吸込部と、上記羽根車の回転方向に応じて該ポンプ室内の流体をいずれか一方から吐出可能なように、該羽根車の外周の接線方向に延びる２つの吐出部と、を有するケーシングと、を備え、上記ポンプ室内には、上記羽根車の径方向外方に、上記２つの吐出部に両端で繋がる流路が形成されていて、上記流路は、上記２つの吐出部の一方に向かうにつれて流路断面積が大きくなるように形成されているものとする。
【０００８】
以上の構成により、一方の吐出部から流体を吐出させるように羽根車を回転させると、該一方の吐出部に向かうにつれて断面積が大きくなる流路内を流体が該一方の吐出部に向かって流れるため、流路の反対側に繋がる他方の吐出部には流体が流れにくくなる。これにより、上記羽根車の回転によって、上記一方の吐出部に流体を効率良く流すことができる。
【発明の効果】
【０００９】
以上より、第１の発明に係るポンプによれば、２つの吐出部のうち一方の吐出部に流体を効率良く搬送することができ、該吐出部から流体を効率良く吐出させることができる。
【図面の簡単な説明】
【００１０】
【図１】図１は、本発明の実施形態に係るモータポンプを備えた食器洗い機の概略構成を示す図である。
【図２】図２は、本発明の実施形態に係るモータポンプの概略構成を示す横断面図である。
【図３】図３は、本発明の実施形態に係るモータポンプのポンプ部の概略構成を示す上面図である。
【図４】図４は、本発明の実施形態に係るモータポンプのポンプ部の概略構成を示す正面図である。
【図５】図５は、図３におけるV−V線断面図である。
【図６】図６は、本発明の実施形態に係るモータポンプのインペラの概略構成を示す斜視図である。
【発明を実施するための形態】
【００１１】
以下、本発明の実施形態を図面に基づいて詳細に説明する。なお、以下の実施形態は、本質的に好ましい例示であって、本発明、その適用物、あるいはその用途の範囲を制限することを意図するものではない。
【００１２】
−食器洗い機の全体構成−
図１に本発明の実施形態に係るモータポンプ２０を搭載した食器洗い機１（食器洗浄装置）の概略構成を示す。この食器洗い機１は、本体ケーシング２の内部に形成された洗浄室２ａ内に食器Ｄ等を配置した状態で、該食器Ｄ等に対して洗浄ノズル３から洗浄水（流体）を吹き付けることにより、該食器Ｄ等に付着した汚れを除去するように構成されている。具体的には、上記食器洗い機１は、内部に洗浄室２ａが形成された箱状の本体ケーシング２と、該洗浄室２ａ内に配置され、且つ、複数の噴射口３ａ，３ａ，…を有する洗浄ノズル３と、上記洗浄室２ａ内で食器Ｄ等を保持するためのラック４と、上記噴射口３ａから噴射される洗浄水を溜めるための水槽５と、該水槽５内の水を上記洗浄ノズル３の噴射口３ａ，３ａ，…へ供給するためのモータポンプ２０と、を備えている。
【００１３】
上記本体ケーシング２は、内部に空洞を有する箱状に形成されたもので、図示しないが、少なくとも一面に開閉可能なドアが設けられている。上記本体ケーシング２の内部は、食器Ｄ等を洗浄するための洗浄室２ａと、水槽５内の水を洗浄ノズル３または排水管６（吐出配管）へ搬送するためのモータポンプ２０が収納された機械室２ｂと、に区画されている。上記洗浄室２ａ内には、上記洗浄ノズル３及びラック４が収納されているとともに、洗浄後の食器等を乾燥させるための乾燥用ファン７が配置されている。上記機械室２ｂには、上記モータポンプ２０が収納されているとともに、食器洗い機１の運転を制御するための制御部８が配置されている。
【００１４】
上記洗浄ノズル３は、上記本体ケーシング２内を上下方向に延びるように略Ｔ字状に形成されている。この洗浄ノズル３の横方向に延びるアーム部分には、下方に向かって開口する複数の噴射口３ａ，３ａ，…が、横方向に一定の間隔で形成されている。また、上記洗浄ノズル３の上下方向に延びる部分は、上記アーム部分に水を供給するための供給管３ｂによって構成されていて、その下端部で上記モータポンプ２０の循環用吐出部３７に接続されている。これにより、該モータポンプ２０から吐出された水が、上記供給管３ｂを通って、洗浄ノズル３のアーム部分に供給され、噴射口３ａ，３ａ，…から噴射される。
【００１５】
上記ラック４は、複数の食器Ｄ等を保持することができ、且つ、洗浄水が洗浄室２ａの下方へ流れ落ちるように、網状部材によって形成されている。このラック４は、本体ケーシング２の内部を上記洗浄室２ａと機械室２ｂとに区画するように設けられたテーブル１１上に配置されている。また、上記ラック４は、図１に示す如く、複数の食器Ｄを立てた状態で保持できるように、図示しない保持部を備えている。
【００１６】
上記水槽５は、上面が開口した箱状に形成されていて、上記テーブル１１に埋め込まれている。すなわち、上記テーブル１１は、上記ラック４の下方部分が網目状に形成されていて、該網目状の部分の下側に上記水槽５が配置されている。また、上記水槽５には、水道水を供給するための給水管９が接続されている。さらに、上記水槽５には、上記モータポンプ２０の吸込部３６に繋がる排出口５ａも形成されている。
【００１７】
−モータポンプの全体構成−
上記モータポンプ２０の構成について、図２に基づいて以下で詳細に説明する。
【００１８】
上記モータポンプ２０は、モータの回転によってインペラを回転させて、水（流体）を吐出するように構成されている。すなわち、上記モータポンプ２０は、ポンプ部３０（ポンプ）及びモータ部４０を備えていて、これらのポンプ部３０及びモータ部４０が一体に構成されている。また、上記モータポンプ２０は、図２中の軸線Ｌ（回転軸）が横方向に延びるように、上記食器洗い機１の機械室２ｂ内に設置される。すなわち、上記図２は、モータポンプ２０の横断面を上方から視た図に相当する。
【００１９】
上記ポンプ部３０は、軸線Ｌを中心に回転することによって該軸線Ｌの方向から水を吸入して径方向外方へ吐出するインペラ３１（羽根車）と、該インペラ３１の収容されるポンプ室Ｓ１を構成する凹部３５ａが形成されたポンプ側ケーシング３５（ケーシング）と、を備えている。
【００２０】
上記インペラ３１は、図６にも示すように、円盤状の底板部３２（平板部）と、該底板部３２上に上記軸線Ｌを囲むように立設された複数の羽根部３３（羽根）と、上記底板部３２に対して平行に設けられて該羽根部３３の上部同士を連結する円環状の連結部３４とを備えている。上記底板部３２は、後述するモータ部４０の回転子４１に接続されており、該回転子４１と一体回転するように構成されている。
【００２１】
上記ポンプ側ケーシング３５は、上記インペラ３１を覆うように設けられている。また、該ポンプ側ケーシング３５には、図３にも示すように、インペラ３１の上記軸線Ｌの方向に向かって開口する吸込部３６が形成されている。さらに、上記ポンプ側ケーシング３５には、図４や図５にも示すように、上記インペラ３１の接線方向外方に向かって開口する２つの吐出部３７，３８も形成されている。
【００２２】
上記ポンプ部３０の詳しい構成については後述する。
【００２３】
略有底円筒状の上記ポンプ側ケーシング３５の開口側には、後述するモータ部４０の回転子４１が収容されるモータ側ケーシング３９が配置されている。このモータ側ケーシング３９は、鍔部３９ａ及び有底円筒部３９ｂを有する略ハット（帽子）状に形成されていて、その鍔部３９ａで上記ポンプ側ケーシング３５の側壁に接続されている。一方、上記モータ側ケーシング３９の有底円筒部３９ｂは、その内側に、上記回転子４１を収容するためのモータ室Ｓ２を形成している。
【００２４】
したがって、上記ポンプ側ケーシング３５及びモータ側ケーシング３９によって、上記モータポンプ２０内には、上記ポンプ室Ｓ１及びモータ室Ｓ２を備えた一つの閉空間が形成される。このように、上記モータポンプ２０は、上記モータ室Ｓ２と上記ポンプ室Ｓ１とが連通しているため、該ポンプ室Ｓ１内の水が上記モータ室Ｓ２内まで流入する。
【００２５】
上記モータ部４０は、上記インペラ３１の底板部３２に設けられた円筒状の接続部３２ａ（図２及び図６参照）に接続される略円柱状の回転子４１と、該回転子４１を囲むように形成された略円筒状の固定子５１とを備えている。上記回転子４１は、上述のとおり、上記モータ側ケーシング３９の有底円筒部３９ｂの内方に位置付けられている一方、上記固定子５１は、該有底円筒部３９ｂの外方に位置付けられている。すなわち、上記固定子５１の内周側には、上記モータ側ケーシング３９の有底円筒部３９ｂが配置されていて、その内側に上記回転子４１が位置付けられている。
【００２６】
上記回転子４１は、上記モータ側ケーシング３９の底面上に上記軸線Ｌに沿って延びるように設けられた固定軸４２に対して回転可能に構成された回転円筒部４３と、該回転円筒部４３の外周面上に嵌合されるとともに上記インペラ３１の底板部３２に接続される略円筒状の磁石保持部４４と、該磁石保持部４４によって保持される略円筒状の駆動用磁石４５とを備えている。上記回転円筒部４３の両端部の軸線方向外方には、スラスト軸受４６，４６が設けられていて、該回転円筒部４３は、両端部で該スラスト軸受４６，４６に接触可能なように配置されている。これにより、上記回転円筒部４３は、上記軸線Ｌの方向の移動が抑制されつつ、上記固定軸４２に対して回転するように構成されている。上記磁石保持部４４は、その内周面で上記回転円筒部４３に嵌合されているとともに、外周面側で上記駆動用磁石４５を保持するように構成されている。
【００２７】
上述のような回転子４１の構成により、該回転子４１が固定軸４２に対して回転すると、その回転は磁石保持部４４を介してインペラ３１の底板部３２に伝わり、該インペラ３１を回転させることができる。
【００２８】
上記固定子５１は、薄板を積層してなる固定子コア５２と、該固定子コア５２の図示しないティース部にコイル線を巻回してなる複数の巻線５３と、を備えている。これらの巻線５３は、上記軸線Ｌを囲むように略環状に配置されており、複数の相を構成するように互いに連結されている。この巻線５３の端部は、固定子リード線６１を構成するとともに、回路基板６０に接続されている。この固定子リード線６１を介して、回路基板６０から所定のタイミングで上記巻線５３に通電することにより、上記固定子５１に回転磁界を発生させることができる。そして、上述のとおり、回転磁界を発生している固定子５１の内側には、上記駆動用磁石４５を有する回転子４１が配置されているため、該回転子４１は上記回転磁界によって回転方向の力を受けて回転する。なお、上記図１中の符号５４は、上記巻線５３と固定子コア５２との間を絶縁するための絶縁材である。
【００２９】
上記回路基板６０には、上記固定子５１の複数の巻線５３に対して所定のタイミングで通電を行うための制御回路が形成されている。また、上記回路基板６０には、上記複数の固定子リード線６１の一端側と、外部の電源（図示省略）や食器洗い機１の制御部８に他端側で接続される複数の外部リード線６２の一端側とが接続されている。
【００３０】
上記図１に示すように、上記固定子５１及び回路基板６０は、全体が熱硬化性樹脂（例えば不飽和ポリエステル樹脂）からなる封止樹脂５５によって封止されている。すなわち、上記固定子５１及び回路基板６０の周りには、溶融した封止樹脂５５によって覆われた後、該封止樹脂５５が冷えて固まってなる外部ケーシング５６が形成されている。この外部ケーシング５６は、上記モータ側ケーシング３９の鍔部３９ａを、上記ポンプ側ケーシング３５との間で挟み込むとともに、外周面が該ポンプ側ケーシング３５の外周面と略面一になるように、略有底円筒状に形成されている。
【００３１】
−ポンプ部の構成−
上記ポンプ部３０の構成について、図３から図６に基づいて以下で詳細に説明する。なお、上記ポンプ部３０は、食器洗い機１を正面から視て（図１の状態）、該食器洗い機１の機械室２ｂ内に図４及び図５の状態で配置される。すなわち、上記ポンプ部３０は、後述する循環用吐出部３７が上側で且つ排出用吐出部３８が下側に、それぞれ位置するように上記機械室２ｂ内に立設される。
【００３２】
上記インペラ３１は、既述のとおり、底板部３２と複数の羽根部３３と連結部３４とを備えている。この羽根部３３は、図６に示すように、円盤状の底板部３２上に立設されていて、円環状の連結部３４によって上部を互いに連結されている。なお、この連結部３４の中央部の穴は、ポンプ側ケーシング３５の吸込部３６から導入される水を上記インペラ３１内に導くためのものである。
【００３３】
上記底板部３２には、そのモータ部４０側の表面の外周側に、径方向に延びる所定長さの複数の溝部３２ｂ（窪み部）が形成されている。これらの溝部３２ｂは、上記底板部３２の外周縁から径方向内方へ所定の長さを有していて、該底板部３２の全周に亘って所定の間隔で放射状に形成されている。これらの溝部３２ｂを設けることにより、該溝部３２ｂ内に水を保持することができる。したがって、上記インペラ３１を回転させると、上記溝部３２ｂによって該インペラ３１の回転方向に水を搬送することができる。これにより、上記モータポンプ２０は、いわゆるヒューガルポンプとして機能する。
【００３４】
上記羽根部３３は、上記底板部３２の径方向に対して所定の角度で傾斜しており、水を該底板部３２の径方向内方から径方向外方へ効率良く搬送できるように構成されている。すなわち、上記羽根部３３によって、上記モータポンプ２０はいわゆる遠心ポンプとして機能する。なお、上記羽根部３３は、図４及び図５においてインペラ３１が時計回りに回転した場合に、該インペラ３１の径方向外方へ水を効率良く搬送するように設けられている。
【００３５】
以上のように、上記インペラ３１は、遠心ポンプ及びヒューガルポンプのインペラの機能を備えている。よって、ポンプ部３０では、吸込部３６から吸い込んだ水を上記インペラ３１によって径方向外方へ搬送しつつ、該インペラ３１の回転方向にも水を搬送することが可能となる。
【００３６】
また、上記インペラ３１は、時計回り（正転方向）及び反時計回り（反転方向）に回転可能に構成されている。これにより、上記インペラ３１が時計回りに回転すると、ポンプ部３０は主に遠心ポンプとして機能し、該インペラ３１が反時計回りに回転すると、ポンプ部３０は主にヒューガルポンプとして機能する。
【００３７】
既述のとおり、上記ポンプ部３０を構成するポンプ側ケーシング３５には、内部にインペラ３１を収納可能なように凹部３５ａが形成されていて、該凹部３５ａ内の空間によってポンプ室Ｓ１が構成される。上記ポンプ側ケーシング３５には、平面視で該凹部３５ａの底面の中央部分に、吸込部３６の開口部３６ａが形成されている。また、この開口部３６ａには、その開口周縁部分に、上記凹部３５ａの開口側に向かって延びる略円錐台状の支持部３６ｂが設けられている。この支持部３６ｂは、上記図２に示すように、上記モータ部４０のスラスト軸受を上記回転円筒部４３との間で挟持するためのものであり、円環状の先端部３６ｃを上記開口部３６ａの周縁部分に形成された複数の脚部３６ｄによって支持するように構成されている（図４参照）。これにより、脚部３６ｄ同士の間に空間を形成することができ、上記吸込部３６及び開口部３６ａを経てポンプ部３０内に導入した水を、上記支持部３６ｂを通過させてインペラ３１側へ流すことができる。なお、図１に示すように、上記インペラ３１の連結部３４の中央部分に形成された穴は、上記インペラ３１をポンプ側ケーシング３５の凹部３５ａ内に収容した状態で上記支持部３６ｂと干渉しないような大きさに形成されている。
【００３８】
上記凹部３５ａは、上記軸線Ｌの延びる方向から視て略円形状に形成されていて、その側面にそれぞれ開口するように循環用吐出部３７（一方の吐出部）及び排出用吐出部３８（他方の吐出部）が接続されている。これらの吐出部３７，３８は、上記凹部３５ａの側面上で且つ上記支持部３６ｂを挟んだ対向位置から、該凹部３５ａの側面の接線方向で且つ互いに同じ方向に向かって延びるように設けられている。
【００３９】
上記凹部３５ａには、図４及び図５に示すように、上記循環用吐出部３７と排出用吐出部３８との間で且つそれらの吐出部３７，３８が延びる方向側の側面に、内方に向かって膨出する略円弧状の膨出部３５ｂが形成されている。この膨出部３５ｂは、上記凹部３５ａ内にインペラ３１を収納した状態で、該インペラ３１の外周との間にほとんど水が流れないような微小隙間（例えば１ｍｍ以下）を形成するように、該凹部３５ａの内方に向かって膨出している。
【００４０】
また、上記膨出部３５ｂは、上記凹部３５ａの周方向の両端部（以下、単に周方向両端部という）が、それぞれ、上記循環用吐出部３７及び排出用吐出部３８の開口部分に隣接している。すなわち、上記膨出部３５ｂの周方向両端部が上記循環用吐出部３７及び排出用吐出部３８の開口部分の側壁を構成している。また、上述の構成により、上記膨出部３５ｂの周方向両端部の凹部３５ａ内方側には、該凹部３５ａの内方に向かって突出する鋭角な舌部３５ｃ，３５ｄが形成される。これらの舌部３５ｃ，３５ｄによって、ポンプ側ケーシング３５内の水を上記循環用吐出部３７または排出用吐出部３８側へ効率良く導くことが可能になる。なお、上記循環用吐出部３７及び排出用吐出部３８の両方における水の流れを考慮すると、上記舌部３５ｃ,３５ｄは、軸線Ｌの延びる方向から視て（図４及び図５の状態）、同等の角度であるのが好ましい。
【００４１】
上記凹部３５ａ内には、上記インペラ３１を内部に収納した状態で、上記支持部３６ｂを挟んで上記膨出部３５ｂとは反対側に、軸線Ｌの延びる方向から視て、インペラ３１の外周縁との間に略円弧状の円弧状流路Ｒ（流路）が形成されている。この円弧状流路Ｒは、その両端部で、上記排出用吐出部３８及び循環用吐出部３７の開口部分に繋がっている。また、上記凹部３５ａは、上記円弧状流路Ｒの流路断面積が上記排出用吐出部３８から循環用吐出部３７に向かって徐々に大きくなるように形成されている。すなわち、軸線Ｌの延びる方向から視た上記凹部３５ａの中心は、上記インペラ３１の中心となる支持部３６ｂに対して、上記循環用吐出部３７の開口部分側にずれている。
【００４２】
上記排出用吐出部３８は、上記凹部３５ａの側面に対する開口部分と上記排水管６に接続される側とで、内部空間の断面形状及び断面積が異なっている。すなわち、上記排出用吐出部３８の凹部３５ａに対する開口部分には、内部空間の断面形状が略矩形状で且つ排水管６よりも断面積が小さい矩形状断面部３８ａ（絞り部）が設けられている。一方、上記排出用吐出部３８の排水管６に接続される側には、内部空間の断面形状が略円形状で且つ上記矩形状断面部３８ａの内部空間よりも大きい断面積を有する円形状断面部３８ｂが設けられている。そして、上記矩形状断面部３８ａと円形状断面部３８ｂとの間には、両者の内部空間を滑らかに繋ぐための接続部３８ｃが設けられている。
【００４３】
このように、上記排出用吐出部３８の上記凹部３５ｂ側の開口部分を絞ることにより、ポンプ室Ｓ１内の水が該排出用吐出部３８から大量に流出するのを抑制することができる。これにより、食器洗い機１の食器洗浄中に、上記排出用吐出部３８から水が流出するのを抑制することができ、水の使用量を低減することができる。また、上述のように構成することで、上記膨出部３５ｂの排出用吐出部３８側の端部を、鋭角な角部にすることができる。すなわち、上記排出用吐出部３８の矩形状断面部３８ａを設けることで、上記凹部３５ａの円筒状の側面に対して円形状の穴部を開口させた場合の開口周縁部分のように部分的に肉厚にすることなく、該凹部３５ａの膨出部３５ｂの端部を鋭角な舌部３５ｄにすることができる。
【００４４】
以上の構成により、上記インペラ３１が図４及び図５において時計回りに回転した場合、該インペラ３１の回転によって径方向外方に吐出された水は、ほとんど流速が低下することなく上記円弧状流路Ｒ内を流れて上記循環用吐出部３７から外部へ排出される（図中の実線矢印）。
【００４５】
一方、上記図４及び図５において上記インペラ３１が反時計回りに回転すると、該インペラ３１の底板部３２に形成された複数の溝部３２ｂによって、該溝部３２ｂの周辺に位置する水は上記排出用吐出部３８側へ運ばれる。これにより、上記インペラ３１を図４及び図５において反時計回りに回転させることで、上記排出用吐出部３８側から水を排出することが可能となる（図中の破線矢印）。なお、上記溝部３２ｂによって、上記インペラ３１が図４及び図５において時計回りに回転している場合にも、上記排出用吐出部３８側へ水が流れるのを防止できる。
【００４６】
−実施形態の効果−
以上より、２つの吐出部３７，３８を有し、インペラ３１の回転方向によって水を吐出する吐出部を切り換えるように構成された、いわゆるリバーシブルポンプにおいて、ポンプ室Ｓ１に形成される円弧状流路Ｒの流路断面積を、洗浄ノズル３に繋がる循環用吐出部３７に向かうにつれて大きくしたので、該循環用吐出部３７から効率良く水を吐出させることができる。しかも、上記インペラ３１は、上記循環用吐出部３７から水を吐出する方向に回転する場合（図４及び図５における時計回り）に、遠心ポンプとして機能するように羽根部３３が設けられているため、該インペラ３１の径方向内方から導入した水を上記循環用吐出部３７に効率良く搬送することができる。
【００４７】
また、上記インペラ３１には、その底板部３２の外周側に、全周に亘って径方向に延びる複数の溝部３２ｂを設けたため、該溝部３２ｂ内で水を保持して該インペラ３１の回転によって水を該インペラ３１の回転方向に搬送することができる。これにより、上記インペラ３１が上記図４及び図５において時計回りに回転した場合には、円弧状流路Ｒ内の水を上記循環用吐出部３７側へ搬送することができ、上記排出用吐出部３８から水が流出するのを抑制することができる。また、上記インペラ３１が上記図４及び図５において反時計回りに回転した場合には、円弧状流路Ｒ内の水を上記排出用吐出部３８側へ搬送することができ、該排出用吐出部３８から水を排出することができる。
【００４８】
したがって、インペラ３１の回転方向に応じて遠心ポンプまたはヒューガルポンプとして機能するリバーシブルポンプを簡単且つ低コストな構成で実現できる。
【００４９】
また、上記ポンプ室Ｓ１を構成するポンプ側ケーシング３５の凹部３５ａには、その側面の一部分に内方に向かって膨出する膨出部３５ｂが設けられているため、該膨出部３５ｂとインペラ３１との隙間内に水が流れこみにくく、上記円弧状流路Ｒ内に多くの水が流れるようになる。これにより、ポンプ側ケーシング３５の吸込部３６からポンプ室Ｓ１内に導入された水を効率良く吐出部３７，３８へ搬送することができる。しかも、上記吐出部３７，３８の凹部３５ａに対する開口部分に位置する上記膨出部３５ｂの両端部は、鋭角な舌部３５ｃ，３５ｄを形成しているため、該円弧状流路Ｒ内の水を上記吐出部３７，３８にスムーズに流すことができる。
【００５０】
また、上記排出用吐出部３８には、上記ポンプ側ケーシング３５の凹部３５ａに開口する側に、排出管６に繋がる円形状断面部３８ｂよりも断面積が小さい矩形状断面部３８ａを設けたため、ポンプ室Ｓ１内の水が上記排出用吐出部３８から排出されるのを抑制することができる。したがって、食器洗浄中に使用する水の量を低減することができる。
【００５１】
さらに、ポンプモータ２０を、循環用吐出部３７が上側に、排出用吐出部３８が下側に、それぞれ位置するように、上記食器洗い機１の機械室２ｂ内に配置したため、ポンプ室Ｓ１内や排出用吐出部３８の内部空間に、排水後の水が残留するのを防止できる。すなわち、上述の配置により、ポンプモータ２０を用いて食器洗浄後の水を排出管６へ排出する場合、下側に位置する排出用吐出部３８からポンプ室Ｓ内の水を効率良く排出することができる。
【００５２】
《その他の実施形態》
上記実施形態については、以下のような構成としてもよい。
【００５３】
上記実施形態では、２つの吐出部３７，３８を、支持部３６ｂを挟んで対向する位置に設けているが、この限りではなく、インペラ３１の回転方向を切り換えた場合にポンプ室Ｓ１内の水を別々の吐出部から吐出できるような位置であれば、２つの吐出部をどのように配置してもよい。
【００５４】
また、上記実施形態では、インペラ３１の底板部３２の外周側に、全周に亘って複数の溝部３２ｂを設けているが、この限りではなく、底板部３２の外周側の一部にのみ溝部３２ｂを設けてもよいし、該底板部３２の内周側に溝部３２ｂを設けてもよい。また、溝部ではなく、円形状の窪みなど、水を保持できるような形状であれば、どのような形状であってもよい。
【００５５】
また、上記実施形態では、ポンプ側ケーシング３５の膨出部３５ｂに設けられる舌部３５ｃ，３５ｄを、軸線Ｌの延びる方向から視て、同等の角度を有する鋭角としているが、この限りではなく、異なる角度としてもよい。
【産業上の利用可能性】
【００５６】
以上説明したように、本発明は、２つの吐出部を有し、該２つの吐出部からの流体の吐出を切り換え可能に構成されたポンプに有用である。
【符号の説明】
【００５７】
１      食器洗い機（食器洗浄装置）
６      排水管（吐出配管）
９      給水管
２０    モータポンプ
３０    ポンプ部（ポンプ）
３１    インペラ（羽根車）
３２    底板部（平板部）
３２ａ  接続部
３２ｂ  溝部（窪み部）
３３    羽根部（羽根）
３４    連結部
３５    ポンプ側ケーシング（ケーシング）
３５ａ  凹部
３５ｂ  膨出部
３５ｃ  舌部
３５ｄ  舌部
３６    吸込部
３７    循環用吐出部（吐出部、一方の吐出部）
３８    排出用吐出部（吐出部、他方の吐出部）
３８ａ  矩形状断面部（絞り部）
３８ｂ  円形状断面部
３８ｃ  接続部
Ｌ      軸線（回転軸）
Ｒ      円弧状流路（流路）
Ｓ１    ポンプ室
【図１】
2011208512.tif 000003
【図２】
2011208512.tif 000004
【図３】
2011208512.tif 000005
【図４】
2011208512.tif 000006
【図５】
2011208512.tif 000007
【図６】
2011208512.tif 000008